(57)【特許請求の範囲】
【請求項１】
携帯可能な工具装置（３）に連結するためガイドキャリッジ（４）に配置する装置連結器（１）を備えた装置スタンドであって、ガイドキャリッジ（４）に締結面（５ａ）を有するキャリッジ側連結部（１ａ）を設け、このキャリッジ側連結部（１ａ）に対して、工具装置（３）のための締結面（５ｂ）を有する装置側連結部（１ｂ）を連結可能に設け、装置側連結部（１ｂ）に２個の少なくとも部分的に周方向に障害物のないピン（６）を固定し、これらピン（６）の背後に引っ掛かることができる２個の連結可能なフック（７ａ，７ｂ）をキャリッジ側連結部（１ａ）に設けた装置スタンドにおいて、キャリッジ側連結部（１ａ）における少なくとも１個の第１フック（７ａ）を、キャリッジ側連結部（１ａ）の締結面（５ａ）に対して相対移動されることで前記２個のピン（６）のうちの１つに引っ掛かることができるようにしたことを特徴とする装置スタンド。
【請求項２】
携帯可能な工具装置（３）に連結するためガイドキャリッジ（４）に配置する装置連結器（１）を備えた装置スタンドであって、ガイドキャリッジ（４）に締結面（５ａ）を有するキャリッジ側連結部（１ａ）を設け、このキャリッジ側連結部（１ａ）に対して、工具装置（３）のための締結面（５ｂ）を有する装置側連結部（１ｂ）を連結可能に設け、装置側連結部（１ｂ）に２個の少なくとも部分的に周方向に障害物のないピン（６）を設け、これらピン（６）の背後に引っ掛かることができる２個の連結可能なフック（７ａ，７ｂ）をキャリッジ側連結部（１ａ）に設けた装置スタンドにおいて、キャリッジ側連結部（１ａ）における少なくとも１個の第１フック（７ａ）を、キャリッジ側連結部（１ａ）の締結面（５ａ）に対して相対移動可能とし、
前記締結面（５ａ，５ｂ）をガイドキャリッジ（４）の移動方向（Ｖ）に対して傾斜させて設けたことを特徴とする装置スタンド。
【請求項３】
請求項１又は２に記載の装置スタンドにおいて、前記装置連結器は、偏心機構によって移動可能な第１フック（７ａ）を有するものとした装置スタンド。
【請求項４】
請求項１〜３のいずれか一項に記載の装置スタンドにおいて、前記偏心機構を、円筒状スリーブ（８）内において案内される偏心ピン（９）として構成した装置スタンド。
【請求項５】
請求項１〜４のいずれか一項に記載の装置スタンドにおいて、前記第１フック（７ａ）を旋回レバー（１１）上に構成し、この旋回レバー（１１）を偏心機構によって旋回可能とした装置スタンド。
【請求項６】
請求項３〜５のいずれか一項に記載の装置スタンドにおいて、前記偏心機構に、レバー（１５）を挿入するためのレバー受容部（１４）を設けた装置連結器。
【請求項７】
請求項１〜６のいずれか一項に記載の装置スタンドにおいて、前記キャリッジ側連結部（１ａ）に第２フック（７ｂ）を強固に固定した装置スタンド。
【請求項８】
請求項１〜７のいずれか一項に記載の装置スタンドにおいて、前記装置側連結部（１ｂ）および前記キャリッジ側連結部（１ａ）に、それぞれ２個の互いに対向するように指向させたガイド面（１６ａ，１６ｂ）を構成し、これらガイド面（１６ａ，１６ｂ）を前記締結面（５ａ，５ｂ）に対して直交させた装置スタンド。
【請求項９】
請求項１〜８のいずれか一項に記載の装置スタンドにおいて、前記キャリッジ側連結部（１ａ）に溝係合ブロック（１２）を連結し、これら溝係合ブロック（１２）を、ガイドキャリッジ（４）の移動方向（Ｖ）に対して直交するＴ字状の横溝（１３）に係合可能とした装置スタンド。
【発明の詳細な説明】
【技術分野】
【０００１】
本発明は、携帯可能な工具装置のための、装置連結器を有する装置スタンドにし、このような工具装置として、とくにコンクリートおよび組積み構体に穿孔するコアドリルクラウンを駆動するコアドリル装置がある。
【背景技術】
【０００２】
岩石をコア穿孔する際に必須の高い回転モーメントおよび推進力は、通常は工具装置から、基礎構造に強固に連結した装置スタンドに対して加えられる。この際、工具装置が生ずる力は、移動可能で、工具装置を中心に固定するための装置連結器を構成したガイドキャリッジを介してガイドレールに対称的に伝達され、さらに底板を介して基礎構造に伝達される。
【０００３】
特許文献１（独国特許第３２３７０５７号明細書）には、この種の装置スタンドが記載されている。この装置スタンドのガイドレールに、締結面を設けたキャリッジ側連結部を有する、移動可能なガイドキャリッジを備える。このガイドキャリッジにおいて、締結面を有し連結可能に備えた装置側連結部を介して、鋭角の角度をなして露出するように突出させた突出部（通常は下方に取り付ける）によって、工具装置をキャリッジ側連結部に掛合し、固定位置まで旋回し、確実に係止し、かつ挿入可能なレバーによって締結できる。この際、レバーによって周方向に障害物のないキャリッジ側連結部のピンを、偏心するように移動できる。
【特許文献１】独国特許第３２３７０５７号明細書
【発明の開示】
【発明が解決しようとする課題】
【０００４】
本発明の課題は、より小形かつ突出が少ない装置側連結部を設けた装置連結器を有する装置スタンドを得ることにある。本発明の他の課題は、とくに装置連結器を技術上簡単に製造することにある。
【０００５】
この課題は、特許請求の範囲における請求項１の特徴によりほぼ解決する。その他の好適な実施例を従属項に記載する。
【０００６】
本発明装置スタンドによれば、装置スタンドのガイドキャリッジに、携帯可能な工具装置に連結するための装置連結器を設ける。このガイドキャリッジに、締結面を有するキャリッジ側連結部を設け、このキャリッジ側連結部に、工具装置のための、締結面を有する装置側連結部を連結可能に備える。この装置側連結部は、２個の少なくとも部分的に周方向に障害物のないピンを有し、これらピンの背後に引っ掛かることができる２個の連結可能なフックをキャリッジ連結部材に設け、キャリッジ側連結部における少なくとも１個の第１フックを、キャリッジ側連結部材の締結面に対して相対移動可能とする。
【発明の効果】
【０００７】
キャリッジ側連結部の双方のフックに懸架可能で、少なくとも部分的に周方向に障害物のない装置側連結部の２個のピンを設けたことにより、装置側連結部には外方に突出させる突出部が不要となり、これにより、装置側連結部をより小形に構成することができ、かつ少なくとも部分的に装置内部にi一体化することができる。さらに、２個のピンによって、係止されていない状態においても工具装置を２箇所で懸架することができ、またこれにより、旋回しないように固定できる。ピンには標準部品を使用でき、これら標準部品であるピンを、例えば装置側連結部に設けた互いに平行な２個のプレートにおける孔などに、少なくとも部分的にのみ周方向に障害物がなく、応力を加えられるように固定すればよいため、装置側連結部を技術上簡単に製造できる。
【発明を実施するための最良の形態】
【０００８】
好適には、装置連結器は、偏心機構によって移動可能な第１フックを有するものとして構成し、この構成によれば、係止部を自己係止可能に構成することができる。
【０００９】
好適には、偏心機構を円筒状スリーブ内において案内される偏心ピンとして構成し、さらに好適には、この偏心ピンに半径方向に関して螺旋状の接触面を設けることによって、わずかな摩耗で、高い締結力を生ずることができる。
【００１０】
好適には、偏心機構にレバーを差し込むためのレバー受容部を設けることによって、目的に応じて使用する場合にレバーが自動的に外れるため、邪魔になることがない。
【００１１】
好適には、第１フックを旋回レバー上に構成し、この旋回レバーを偏心機構によって旋回可能とすることにより、締結力を伝達できる。
【００１２】
好適には、キャリッジ側連結部に第２フックを強固に固定することによって、この第２フックを、例えばトグルボルトによるねじ付けなどにより技術上簡単に取り付けることができる。
【００１３】
好適には、締結面をガイドキャリッジの移動方向に対して傾斜させて設けることによって、移動方向を水平方向として使用する際に、締結面上に残留し得る水を自動的に流出させることができる。
【００１４】
好適には、装置側連結部およびキャリッジ側連結部に、それぞれ２個の互いに対面するように指向させたガイド面を構成し、これらのガイド面を締結面に直交させることによって、工具装置の作動軸線を、ガイドキャリッジの移動方向によって画定した方向に指向させることができる。
【００１５】
キャリッジ側連結部を、一般的な場合ではガイドキャリッジに一体構成とする。ただし好適には、キャリッジ側連結部に溝係合ブロックを連結し、これら溝係合ブロックを、キャリッジ側連結部とは別個に設けたガイドキャリッジの移動方向に直交するＴ字状の横溝に係合させることによって、キャリッジ側連結部の位置調節を別個のガイドキャリッジ上で行うことができる。
【００１６】
次に、図面につき本発明の好適な実施例を説明する。
【実施例】
【００１７】
図１に示すように、（図示のみした）装置スタンド２には、回転軸線Ａを有しコアドリル装置の形式とした（一部のみ図示した）携帯可能な工具装置３を連結するための、装置連結器１を設ける。装置スタンド２の移動方向Ｖを有するガイドキャリッジ４には、キャリッジ側連結部１ａおよび、工具装置３には、このキャリッジ連結部１ａに連結すべき装置側連結部１ｂを設け、これらキャリッジ側連結部１ａおよび装置側連結部１ｂに、それぞれガイドキャリッジ４の移動方向Ｖに対して傾斜させた締結面５ａ，５ｂを設ける。工具装置３に取り付けた装置側連結部１ｂは、周方向に障害物のない２個のピン６を設け、これらピン６の背後に、キャリッジ側連結部の２個のフック７ａ，７ｂが引っ掛かることができるようにする。第１フック７ａを、キャリッジ側連結部１ａにおいて締結面５ａに対して、偏心機構によって変位可能とする。この場合、偏心機構自体を円筒状スリーブ８内に案内した偏心ピン９として構成し、この偏心ピン９には半径方向に関して螺旋状とした接触面１０を設け、この接触面１０によって、弾性的バイアスを加え旋回可能に支持した旋回レバー１１を押圧し、この旋回レバー１１には第１フック７ａを設ける。第２フック７ｂをキャリッジ側連結部１ａに強固に固定する。さらに、キャリッジ側連結部１ａに締結可能な溝係合ブロック１２を連結し、これら溝係合ブロック１２をガイドキャリッジ４の移動方向Ｖに対して直交するＴ字状の横溝１３に係合する。
【００１８】
図２に示すように、移動方向Ｖ（図１）に直交して自身の偏心軸線Ｅに沿って移動可能な偏心ピン９に、外方に開口し四角形状の内面として構成したレバー受容部１４を設け、このレバー受容部１４に適合する形状を有するレバー１５を挿入する。さらに、キャリッジ側連結部１ａのフック７ａ，７ｂ、および図３に示すように工具装置３に取り付けた装置側連結部１ｂにおける周方向に障害物のない２個のピン６の両側に、互いに対向する２個のガイド面１６ａ，１６ｂを設け、これらのガイド面１６ａ，１６ｂを締結面５ａ，５ｂに直交させる。
【００１９】
図４に示すように、装置側連結部１ｂ自体を十分に工具装置３内に挿入し、工具装置３をまず上方から下方に上側のピン６を第２フック７ｂに引っ掛け、次に旋回運動Ｓによって旋回させ、キャリッジ側連結部１ａの締結面５ａ上に装置側連結部材１ｂを当接させる。この懸架状態（図示の状態）において、旋回レバー１１はばね１７の力に抗して回転しており、（事前に引き出した）偏心ピン９を自身の偏心軸線Ｅ（図２）に沿って側方からキャリッジ側連結部１ａ内に挿入することができ、自身の螺旋状の接触面１０（図１）が旋回レバー１１に係合する。このとき、工具装置３を固定するが、緊締されず、その後偏心ピン９を回転することによって緊締を生ずる。
【図面の簡単な説明】
【００２０】
【図１】本発明の工具装置に連結する装置連結器を有する装置スタンドの縦断面図である。
【図２】キャリッジ側連結部の側面図である。
【図３】工具装置に取り付けた状態における装置側連結部の側面図である。
【図４】工具装置を装置連結器に懸架した状態の縦断面図である。
【符号の説明】
【００２１】
１  装置連結器
１ａ  キャリッジ側連結部
１ｂ  装置側連結部
２  装置スタンド
３  工具装置
４  ガイドキャリッジ
５ａ  締結面
５ｂ  締結面
６  ピン
７ａ  第１フック
７ｂ  第２フック
８  円筒状スリーブ
９  偏心ピン
１０  接触面
１１  旋回レバー
１２  溝係合ブロック
１３  横溝
１４  レバー受容部
１５  レバー
１６ａ  ガイド面
１６ｂ  ガイド面
１７  ばね
Ａ  回転軸線
Ｅ  偏心軸線  
Ｓ  旋回運動
Ｖ  移動方向
【図１】
0005421579.tif 000002
【図２】
0005421579.tif 000003
【図３】
0005421579.tif 000004
【図４】
0005421579.tif 000005